(57)【特許請求の範囲】
【請求項１】
断面方形の筒状部を有する支柱の下端に、高さ調節手段を有する台座を取り付ける支柱への台座取付構造であって、
前記台座が、高さ調節手段を設けた水平な基片と、該基片の前後の端部から起立し、かつ一方の側端部に段部を有する１対の側片と、両側片の他方の側端部側において前記基片より起立する支持片とを備え、前記両側片を支柱の下端部の筒状部に嵌合し、前記支持片の上端と側片の段部とにより支柱の下端を受け止めるとともに、支柱の下端の一側部より垂下する垂下片を、その前後の縁が前記両側片の内面に密接するようにして、両側片間に嵌合したことを特徴とする支柱への台座取付構造。
【請求項２】
支柱の垂下片の上端両側部に前後方向に張り出す肩部を形成し、この肩部を両側片の段部に載置した請求項１記載の支柱への台座取付構造。
【請求項３】
台座の側片と、それに対向する支柱の下端部内面との間に、台座の側片を支柱の下端部から抜け止めする抜け止め手段を設けた請求項１または２記載の支柱への台座取付構造。
【請求項４】
支柱の一側壁のほぼ中央部に、内方に向かって突出する上下方向の突条を設け、両側片における段部と反対側の側端部に、互いに内方に向かって延出し、かつ先端部が前記突条の両側部に当接する内向き折曲片を設けた請求項１〜３のいずれかに記載の支柱への台座取付構造。
【請求項５】
台座の基片の一側部に突片を連設し、この突片に、間仕切等の下部側面を覆う幅木の内面に設けた内向きの係止片を係止して、幅木を支持するようにした請求項１〜４のいずれかに記載の支柱への台座取付構造。
【発明の詳細な説明】
【０００１】
【発明の属する技術分野】
本発明は、間仕切や陳列棚等における支柱の下端に、高さ調節手段を有する台座を取付けるための取付構造に関する。
【０００２】
【従来の技術】
間仕切や陳列棚等の支柱の下端には、他の支柱とのレベルを合わせるための高さ調節手段を設けることが多い。
高さ調節手段としては、支柱の下端面に固着したナットに、円板状の接床部を有するアジャスタボルトにおける上記接床部の中央より起立する雄ねじ部を螺合するようにしたものが、広く用いられている。
【０００３】
このような支柱の下端には、支柱の重量だけでなく、間仕切や陳列棚等の全重量が掛かるので、ナットを固着する支柱の下端面を強固にしておく必要がある。
従来は、支柱が角管状のものの場合、その下端部に、１枚または２枚の厚肉の水平板を溶接し、その水平板にナットを溶接していた。
【０００４】
【発明が解決しようとする課題】
しかし、上述のような従来の構造では、床面の傾きや不陸により、アジャスタボルトが傾くと、上記水平板が変形したり、溶接部に亀裂が生じたりするおそれがあるとともに、水平板を支柱の下端部に溶接する作業が面倒である等の問題がある。
【０００５】
本発明は、従来の技術が有する上記のような問題点に鑑み、支柱の下端部に、高さ調節手段を有する台座を、強固に、かつ容易に嵌合し得るようにした支柱への台座取付構造を提供することを目的としている。
【０００６】
【課題を解決するための手段】
本発明によると、上記課題は次のようにして解決される。
（１）断面方形の筒状部を有する支柱の下端に、高さ調節手段を有する台座を取り付ける支柱への台座取付構造であって、前記台座が、高さ調節手段を設けた水平な基片と、該基片の前後の端部から起立し、かつ一方の側端部に段部を有する１対の側片と、両側片の他方の側端部側において前記基片より起立する支持片とを備え、前記両側片を支柱の下端部の筒状部に嵌合し、前記支持片の上端と側片の段部とにより支柱の下端を受け止めるとともに、支柱の下端の一側部より垂下する垂下片を、その前後の縁が前記両側片の内面に密接するようにして、両側片間に嵌合する。
【０００７】
（２）上記（１）項において、支柱の垂下片の上端両側部に前後方向に張り出す肩部を形成し、この肩部を両側片の段部に載置する。
【０００８】
（３）上記（１）項または（２）項において、台座の側片と、それに対向する支柱の下端部内面との間に、台座の側片を支柱の下端部から抜け止めする抜け止め手段を設ける。
【０００９】
（４）上記（１）〜（３）項のいずれかにおいて、支柱の一側壁のほぼ中央部に、内方に向かって突出する上下方向の突条を設け、両側片における段部と反対側の側端部に、互いに内方に向かって延出し、かつ先端部が前記突条の両側部に当接する内向き折曲片を設ける。
【００１０】
（５）上記（１）〜（４）項のいずれかにおいて、台座の基片の一側部に突片を連設し、この突片に、間仕切等の下部側面を覆う幅木の内面に設けた内向きの係止片を係止して、幅木を支持する。
【００１１】
【発明の実施の形態】
図１〜図５は、本発明の一実施形態を備える間仕切装置の一部を示すもので、この間仕切装置は、左右１対の支柱(１)の上下の端部（下方のもののみを図１に図示）同士を、左右方向を向く連結杆(２)をもって連結することにより枠体を形成し、この枠体の前後面に、間仕切パネル（図示略）とその下方の空間を覆う幅木(３)とを係止するようになっている。
【００１２】
各支柱(１)は、平面視コ字状の外側部材(４)内に、それより若干短寸の平面視コ字状の内側部材(５)を嵌合して、両側部同士を溶接することにより、前壁(６)と後壁(７)と外側の側壁(８)と内側の側壁(９)とにより断面方形の筒状部(10)を形成するとともに、内側の側壁(９)の前後部に、前壁(６)及び後壁(７)と連続して枠体(３)の内方に向かって延出する延出部(11)(12)を形成している。
【００１３】
前壁(６)及び後壁(７)の外側の縁部には、間仕切の前後面に棚板等を支持するためのブラケット（図示略）を係止させる多数の係合孔(13)が、上下方向に等間隔をもって穿設されている。
【００１４】
外側の側壁(８)のほぼ中央部には、前壁(６)の係合孔(13)と後壁(７)の係合孔(13)との両方を通る光や視線を遮るため、内方に向かってＶ字状に突出する上下方向の突条(14)が設けられている。
【００１５】
前壁(６)及び後壁(７)の下端部には、後述する台座(19)を支柱(１)から抜け止めするための係合孔(15)が、またその上方には、幅木(３)を係止するための係合孔(16)が設けられている。
【００１６】
内側の側壁(９)の下端中央には、垂下片(17)が連設され、垂下片(17)の上端両側部には、前後方向に張り出す肩部(18)が形成されている。
【００１７】
(19)は、各支柱(１)の下端に嵌着された台座で、図２以降に詳細に示すように、水平な基片(20)と、基片(20)の前後の端部から起立し、かつ右方（図２の右下方）の側端部に段部(21a)を有する１対の側片(21)と、両側片(21)の左方の側端部（図２の左上方の側端部）側において、基片(20)より起立する支持片(22)とを備えている。
【００１８】
基片(20)のほぼ中央部の上面にはナット(23)が溶接され、このナット(23)には、その直下の基片(20)に穿設した通孔（図示略）を通して、アジャスタボルト(24)の雄ねじ部(24a)が螺合され、ナット(23)とアジャスタボルト(24)とにより、高さ調節手段(25)が形成されている。
【００１９】
(24b)は、アジャスタボルト(24)における雄ねじ部(24a)の下端に、回転操作用の６角部(24c)を介して連設された円板状の接床部である。
【００２０】
基片(20)の図２における右端には、平面視Ｔ字状をなす突片(20a)が連設され、この突片(20a)における両側片(21)より前後方向に突出する前後の端部には、幅木(３)係止用の爪(26)が、互いに対向する斜め上方に向かって切り起こされている。
【００２１】
両側片(21)における段部(21a)より上方の部分には、前後方向に張り出す上部拡幅段部(21b)が形成され、その上方には、台座(19)を支柱(１)の下端部から抜け止めするための外下方を向くつめ(27)が切り起こされている。
【００２２】
さらに、両側片(21)の上端には、支柱(１)の下端への挿入を容易にするため、互いに内上方に向かって傾斜する傾斜案内部(21c)が連設されている。
【００２３】
図３及び図４に示すように、両側片(21)における上部拡幅段部(21b)より上方で、かつ支持片(22)の上端より上方の右側端部には、互いに内方に向かって延出する内向き折曲片(21d)が連設されている。両内向き折曲片(21d)の先端部間の間隔は、支柱(１)における突条(14)の幅とほぼ同一か、または若干小としてある。
【００２４】
内向き折曲片(21d)の上端には、上述の傾斜案内部(21c)と同様の傾斜案内部(21e)が連設されている。
【００２５】
幅木(３)は、上下部に互いに内向きコ字状に折曲したフランジ部(3a)(3b)を有し、上部のフランジ部(3a)の後面両側部には、支柱(１)の前壁(６)（または後壁(７)）に穿設した係合孔(16)に圧嵌するようにした上下方向に弾性変形可能な側面視ほぼ菱形の係合突片(28)が設けられ、下部のフランジ部(3b)の後縁には、後方に向かって上向き鉤形に延出する延出片(3c)が設けられている。
延出片(3c)における台座(19)の突片(20a)の爪(26)に対応する部分には、平面視方形の係合孔(29)が穿設されている。
【００２６】
台座(19)は、両側片(21)の前後面と内向き折曲片(21d)の左側面と両側片(21)の右側端とが、支柱(１)の前後壁(６)(７)と、側壁(８)と側壁(９)との各内面に接触し、両内向き折曲片(21d)の先端が支柱(１)の突条(14)の前後に当接し、支持片(22)の上端が支柱(１)の側壁(８)の下端に、また両側片(21)の段部(21a)が支柱(１)の肩部(18)にそれぞれ当接し、さらに、支柱(１)の垂下片(17)の前後の側縁が両側片(21)の内面に接触するようにして、支柱(１)の筒状部(10)の下端部に嵌合され、支持片(22)の上端が支柱の側壁(８)の下端に、また段部(21a)が肩部(18)にそれぞれ当接したとき、両側片(21)の爪(27)の下端が支柱(１)の係合孔(15)の下縁に係合することにより、支柱(１)から抜け止めされている。
【００２７】
台座(19)を支柱(１)にこのように嵌合することにより、台座(19)と支柱(１)とは、ねじれや傾きを含むすべての方向の外力に対して強固に結合される。
【００２８】
アジャスタボルト(24)は、その雄ねじ部(24a)をナット(23)に螺合した状態で、６角部(24c)にスパナ等を嵌合して回転させることにより、台座(19)とともに支柱(１)の高さを微調節することができる。
【００２９】
幅木(３)は、その係合孔(29)がつめ(26)に係合するようにして、延出片(3c)を突片(20a)上に係止させ、かつ係合突片(28)を、支柱(１)の係合孔(16)に圧嵌することにより、台座(19)及びその上方に支持された支柱(１)に着脱容易に装着されている。
【００３０】
なお、両側片(21)を支柱(１)の下端部にきつ目に嵌合するようにしておけば、係合孔(15)と爪(27)とからなる台座(19)の抜け止め手段を省略することができる。
【００３１】
【発明の効果】
請求項１記載の発明によると、支持片の上端と、側片の段部とにより支柱に掛る下向きの荷重を確実に受け止めることができるとともに、台座の両側片が支柱の筒状部の下端に嵌合され、かつ支柱の垂下片が台座の両側片間に嵌合されることにより、台座は、支柱に対してねじれや傾き、及び上下、左右、前後の位置ずれ等を生じることなく、強固に結合される。
【００３２】
また、台座は、支柱の下端に差し込むだけで容易に結合させることができ、取り外しも容易である。
【００３３】
請求項２記載の発明によると、支柱の荷重を受ける台座側の両側片の段部の前後方向の変形が確実に阻止され、大きな荷重支持強度が得られる。
すなわち、台座の両側片の段部より下方の部分は、その間に垂下片が嵌入することにより、前後内向きの倒れが阻止され、段部より上方の部分は、支柱の前壁及び後壁の内面に当接することにより、前後外向きの倒れが阻止され、その中間の段部において、支柱の荷重を受けるようにしているので、この段部が前後方向に変形するのが阻止される。
【００３４】
請求項３記載の発明によると、支柱を持ち上げた際の台座の脱落を防止できるとともに、台座に対する支柱の傾きを防止することができる。
【００３５】
請求項４記載の発明によると、台座の両内向き折曲片の先端が支柱の突条の前後に当接することにより、台座に対する支柱の傾きがより確実に防止されるとともに、台座と支柱との結合部の強度が増す。
【００３６】
請求項５記載の発明によると、台座に幅木を係止する突片を一体的に設けてあるので、幅木を支持手段を別に設ける必要がなく、部品点数の削減及び構造の簡素化を図ることができる。
【図面の簡単な説明】
【図１】本発明の一実施形態を備える間仕切装置の要部の斜視図である。
【図２】同じく、要部拡大分解斜視図である。
【図３】同じく、台座の左端部の斜視図である。
【図４】同じく、台座を支柱の下端部に嵌合したときの要部の横断平面図である。
【図５】同じく、要部の斜視図である。
【符号の説明】
(１)支柱
(２)連結杆
(３)幅木
(3a)(3b)フランジ部
(3c)延出片
(４)外側部材
(５)内側部材
(６)前壁
(７)後壁
(８)(９)側壁
(10)筒状部
(11)(12)延出部
(13)係合孔
(14)突条
(15)係合孔
(16)係合孔
(17)垂下片
(18)肩部
(19)台座
(20)基片
(20a)突片
(21)側片
(21a)段部
(21b)上部拡幅段部
(21c)(21e)傾斜案内部
(21d)内向き折曲片
(22)支持片
(23)ナット
(24)アジャスタボルト
(24a)雄ねじ部
(24b)接床部
(24c)６角部
(25)高さ調節手段
(26)(27)爪
(28)係合突片
(29)係合孔
【図１】
0004065074.tif 000002
【図２】
0004065074.tif 000003
【図３】
0004065074.tif 000004
【図４】
0004065074.tif 000005
【図５】
0004065074.tif 000006